(57)【要約】【課題】データの中継を開始する際に発生する弊害を軽減することができる中継装置を提供する。【解決手段】本開示における中継装置１０２は、データを中継する中継装置であって、中継装置１０２に接続可能な少なくとも１つの受信装置１０３の機器情報を記憶するための記憶部１１２と、送信装置１０１と中継装置１０２との間で認証が行われる前から記憶部１１２に予め記憶されている機器情報を送信装置１０１と中継装置１０２との間で認証が行われる時に送信装置１０１へ送信する通信部１１１とを備える。【選択図】図１
2014175736.tif 000002
【特許請求の範囲】
【請求項１】
データを中継する中継装置であって、
前記中継装置に接続可能な少なくとも１つの受信装置の機器情報を記憶するための記憶部と、
送信装置と前記中継装置との間で認証が行われる前から前記記憶部に予め記憶されている前記機器情報を前記認証時に前記送信装置へ送信する通信部とを備える
中継装置。
【請求項２】
前記通信部は、前記中継装置と前記受信装置との間で接続が確立していない場合でも、前記機器情報を前記送信装置へ送信する
請求項１に記載の中継装置。
【請求項３】
前記通信部は、前記機器情報が前記記憶部に記憶されている場合、前記機器情報を前記送信装置へ送信する
請求項１に記載の中継装置。
【請求項４】
前記中継装置は、さらに、前記機器情報を前記記憶部に格納するためのＧＵＩ（Ｇｒａｐｈｉｃａｌ  Ｕｓｅｒ  Ｉｎｔｅｒｆａｃｅ）を表示する表示部を備える
請求項１〜３のいずれか１項に記載の中継装置。
【請求項５】
前記記憶部には、前記中継装置の製造時に、前記機器情報が格納される
請求項１〜３のいずれか１項に記載の中継装置。
【請求項６】
前記中継装置は、さらに、前記受信装置とは別の装置から前記機器情報を受信する受信部を備え、
前記記憶部には、前記認証前に、前記受信部で受信された前記機器情報が格納される
請求項１〜３のいずれか１項に記載の中継装置。
【請求項７】
前記通信部は、前記受信装置を一意に特定するための前記機器情報を前記送信装置へ送信する
請求項１〜３のいずれか１項に記載の中継装置。
【請求項８】
前記機器情報は、前記データを保護するための方式であるＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）において前記受信装置を一意に特定するための情報であるＲｅｃｅｉｖｅｒＩＤまたはＫＳＶであり、
前記通信部は、前記送信装置と前記中継装置との間で前記ＨＤＣＰに基づいて前記認証が行われる前から前記記憶部に予め記憶されている前記機器情報を前記ＨＤＣＰに基づく前記認証時に前記送信装置へ送信する
請求項７に記載の中継装置。
【請求項９】
前記中継装置は、さらに、前記認証後に前記送信装置から受信された前記データを再生する再生部を備え、
前記再生部は、前記データの再生中に前記受信装置への前記データの中継が開始される場合でも、前記データの再生を中断せずに継続する
請求項１〜３のいずれか１項に記載の中継装置。
【請求項１０】
前記通信部は、前記受信装置への前記データの送信が前記認証時に予定されていない場合でも、前記機器情報を前記送信装置へ前記認証時に送信して、前記受信装置への送信が認められた前記データを受信する
請求項１〜３のいずれか１項に記載の中継装置。
【請求項１１】
データを中継する中継方法であって、
中継装置に接続可能な少なくとも１つの受信装置の機器情報を記憶するための記憶部に、送信装置と前記中継装置との間で認証が行われる前から予め記憶されている前記機器情報を前記認証時に前記送信装置へ送信する
中継方法。
【発明の詳細な説明】
【技術分野】
【０００１】
本開示は、データを中継する中継装置に関する。
【背景技術】
【０００２】
特許文献１は、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）を開示する。ＨＤＣＰは、送信されるデータを暗号化し、不正コピーを防止する著作権保護技術であり、データを保護するための方式（規格）である。
【先行技術文献】
【特許文献】
【０００３】
【特許文献１】特開２０１０−６８５０９号公報
【発明の概要】
【発明が解決しようとする課題】
【０００４】
本開示は、データの中継を開始する際に発生する弊害を軽減することができる中継装置を提供する。
【課題を解決するための手段】
【０００５】
本開示における中継装置は、データを中継する中継装置であって、中継装置に接続可能な少なくとも１つの受信装置の機器情報を記憶するための記憶部と、送信装置と中継装置との間で認証が行われる前から記憶部に予め記憶されている機器情報を認証時に送信装置へ送信する通信部とを備える。
【発明の効果】
【０００６】
本開示における中継装置は、データの中継を開始する際に発生する弊害を軽減することができる。
【図面の簡単な説明】
【０００７】
【図１】実施の形態１における送受信システムの構成を示すブロック図
【図２】実施の形態１における中継装置の動作を示すフローチャート
【図３】実施の形態２における送受信システムの構成を示すブロック図
【図４】実施の形態２におけるソース装置の動作を示すフローチャート
【図５】実施の形態２におけるリピータ装置の動作を示すフローチャート
【図６】実施の形態２におけるシンク装置の動作を示すフローチャート
【図７】実施の形態２における送受信システムの動作を示すシーケンス図
【図８】実施の形態２における登録時のリピータ装置のＧＵＩ画面の例を示す図
【図９】実施の形態２における登録時のシンク装置のＧＵＩ画面の例を示す図
【図１０】実施の形態２における転送時のリピータ装置のＧＵＩ画面の例を示す図
【図１１】実施の形態２における転送時のシンク装置のＧＵＩ画面の例を示す図
【図１２】実施の形態３における送受信システムの構成を示すブロック図
【図１３】実施の形態３におけるリピータ装置の動作を示すフローチャート
【図１４】実施の形態３におけるシンク装置の動作を示すフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって特許請求の範囲に記載の主題を限定することを意図するものではない。
【００１０】
（実施の形態１）
以下、図１および２を用いて、実施の形態１を説明する。
【００１１】
［１−１．構成］
図１は、本実施の形態における送受信システムの構成を示すブロック図である。図１のように、送受信システム１００は、送信装置（ソース装置）１０１、中継装置（リピータ装置）１０２および受信装置（シンク装置）１０３を備える。
【００１２】
送信装置１０１は、データ（コンテンツ）を送信する装置である。送信されるデータは、映像データでもよいし、音声データでもよいし、音声データを含む映像データでもよい。送信装置１０１は、例えば、放送信号を受信するセットトップボックスである。また、送信装置１０１は、映像データまたは音声データを記録するレコーダーでもよい。送信装置１０１は、ＤＶＤプレーヤーなどのように、記録媒体の信号を再生するプレーヤーでもよい。送信装置１０１は、テレビジョン受像機でもよい。
【００１３】
中継装置１０２は、データを中継する装置である。中継装置１０２は、送信装置１０１によって送信されたデータを受信する。そして、中継装置１０２は、受信されたデータを受信装置１０３へ送信する。これにより、中継装置１０２は、送信装置１０１から受信装置１０３へ送信されるデータを中継する。例えば、中継装置１０２は、テレビジョン受像機である。あるいは、中継装置１０２は、送信装置１０１と同じように、レコーダーでもよいし、プレーヤーでもよいし、セットトップボックスでもよい。
【００１４】
受信装置１０３は、データを受信する装置である。受信装置１０３は、中継装置１０２によって送信されたデータを受信する。これにより、受信装置１０３は、中継装置１０２を介して、送信装置１０１によって送信されたデータを受信することができる。例えば、受信装置１０３は、スマートフォンである。あるいは、受信装置１０３は、携帯電話でもよいし、携帯端末でもよい。あるいは、受信装置１０３は、中継装置１０２と同じように、テレビジョン受像機、レコーダー、プレーヤーまたはセットトップボックスでもよい。
【００１５】
送信装置１０１および中継装置１０２は、有線または無線で互いに接続可能である。例えば、送信装置１０１および中継装置１０２は、Ｗｉ−Ｆｉ（Ｗｉｒｅｌｅｓｓ  Ｆｉｄｅｌｉｔｙ）等の無線で接続されてもよいし、ルータ経由で接続されてもよい。中継装置１０２および受信装置１０３も、送信装置１０１および中継装置１０２と同じように、有線または無線で互いに接続可能である。
【００１６】
また、中継装置１０２は、通信部１１１、記憶部１１２、受信部１１３、再生部１１４、表示部１１５および制御部１１６を備える。
【００１７】
通信部１１１は、外部の装置と通信するためのインタフェースである。例えば、通信部１１１は、受信装置１０３の機器情報を送信装置１０１に送信する。また、通信部１１１は、送信装置１０１と通信する第１の通信部、および、受信装置１０３と通信する第２の通信部を含んでいてもよい。例えば、送信装置１０１から送信されたデータを第１の通信部が受信し、第１の通信部によって受信されたデータを第２の通信部が受信装置１０３へ送信してもよい。
【００１８】
記憶部１１２は、情報を記憶するための記憶部であり、メモリ等の記憶素子で構成される。例えば、記憶部１１２には、中継装置１０２に接続可能な受信装置１０３の機器情報が格納される。機器情報は、受信装置１０３を特定するための情報であり、ＨＤＣＰにおけるＲｅｃｅｉｖｅｒＩＤまたはＫＳＶ（ｋｅｙ  ｓｅｌｅｃｔｉｏｎ  ｖｅｃｔｏｒ）等でもよい。
【００１９】
受信部１１３は、情報を受信するためのインタフェースである。受信部１１３は、通信部１１１に含まれていてもよい。例えば、受信部１１３は、受信装置１０３とは別の装置から受信装置１０３の機器情報を受信する。
【００２０】
再生部１１４は、データを再生する処理部である。例えば、再生部１１４は、通信部１１１で受信されたデータを再生する。
【００２１】
表示部１１５は、画像または映像等を表示するディスプレイである。例えば、表示部１１５は、受信装置１０３の機器情報を記憶部１１２に格納するためのＧＵＩ（Ｇｒａｐｈｉｃａｌ  Ｕｓｅｒ  Ｉｎｔｅｒｆａｃｅ）を表示する。また、例えば、表示部１１５は、再生部１１４で再生されたデータを画像または映像として表示する。
【００２２】
制御部１１６は、中継装置１０２に含まれる各構成要素の動作を制御するコントローラである。例えば、制御部１１６は、通信部１１１に外部の装置と通信させることにより、通信部１１１を介して、外部の装置と通信することができる。そして、例えば、制御部１１６は、通信部１１１を介して、送信装置１０１または受信装置１０３などを認証してもよい。また、例えば、制御部１１６は、記憶部１１２に受信装置１０３の機器情報を格納してもよい。
【００２３】
例えば、送信装置１０１と中継装置１０２との間で認証が行われる際に、送信装置１０１と中継装置１０２との間で暗号化および復号化に用いられる鍵が交換される。認証後、送信装置１０１は、鍵を用いてデータを暗号化し、暗号化されたデータを中継装置１０２へ送信する。中継装置１０２は、鍵を用いてデータを復号化する。
【００２４】
また、例えば、中継装置１０２と受信装置１０３との間で認証が行われる際に、中継装置１０２と受信装置１０３との間で暗号化および復号化に用いられる鍵が交換される。認証後、中継装置１０２は、鍵を用いてデータを暗号化し、暗号化されたデータを受信装置１０３へ送信する。受信装置１０３は、鍵を用いてデータを復号化する。
【００２５】
認証、鍵の交換、暗号化および復号化は、制御部１１６によって行われてもよいし、通信部１１１によって行われてもよい。
【００２６】
［１−２．動作］
以上のように構成された送受信システム１００の中継装置１０２について、その動作を以下説明する。中継装置１０２は、送信装置１０１から受信装置１０３へ送信されるデータを中継するための各動作を行う。以下、それぞれの動作について詳細に説明する。
【００２７】
図２は、図１に示された中継装置１０２の動作を示すフローチャートである。まず、受信装置１０３の機器情報が記憶部１１２に格納される（Ｓ１０１）。例えば、制御部１１６が、表示部１１５で表示されるＧＵＩにおける操作に従って、受信装置１０３の機器情報を記憶部１１２に格納してもよい。または、受信部１１３が受信装置１０３の機器情報を受信し、受信された機器情報を受信部１１３または制御部１１６が記憶部１１２に格納してもよい。
【００２８】
これにより、受信装置１０３の機器情報が、送信装置１０１と中継装置１０２との間で認証が行われる前から記憶部１１２に予め記憶されている状態が構築される。その後、通信部１１１は、送信装置１０１と中継装置１０２との間で認証が行われる時に送信装置１０１へ受信装置１０３の機器情報を送信する（Ｓ１０２）。この時に送信される機器情報は、送信装置１０１と中継装置１０２との間で認証が行われる前から記憶部１１２に予め記憶されている機器情報である。
【００２９】
中継装置１０２は、受信装置１０３へのデータの送信が予定されていない場合でも、送信装置１０１へ受信装置１０３の機器情報を送信することにより、データを受信装置１０３へ送信する可能性があることを送信装置１０１に通知することができる。そして、データの送信元である送信装置１０１は、データが送信される可能性がある受信装置１０３を認識することができる。
【００３０】
したがって、送信装置１０１は、データを適切に管理することができる。例えば、送信装置１０１は、受信装置１０３の機器情報に応じて、データの送信を中止することができる。
【００３１】
送信装置１０１と中継装置１０２との間で認証が行われた後、通信部１１１は、受信装置１０３への送信が認められたデータを送信装置１０１から受信する。再生部１１４は、通信部１１１によって受信されたデータを再生する（Ｓ１０３）。
【００３２】
上記の通り、中継装置１０２は、事前に、送信装置１０１に受信装置１０３の機器情報を送信する。したがって、データの中継が開始される時に、中継装置１０２は、送信装置１０１へ受信装置１０３の機器情報を送信しなくてよい。
【００３３】
例えば、ＨＤＣＰでは、中継装置１０２は、認証時において受信装置１０３の機器情報を送信装置１０１へ送信しなければ、送信装置１０１からのデータを受信装置１０３へ送信することができない。受信装置１０３の機器情報を送信装置１０１へ送信せずに認証された中継装置１０２は、受信装置１０３の機器情報を送信装置１０１へ送信して再認証されることにより、送信装置１０１からのデータを受信装置１０３へ送信することができる。
【００３４】
中継装置１０２が送信装置１０１からのデータを再生している間に再認証が行われた場合、データの暗号化に用いられる鍵が再作成され、中継装置１０２においてデータの再生が途切れる。本実施の形態では、中継装置１０２は、中継装置１０２に接続可能な受信装置１０３の機器情報を既に送信装置１０１へ送信しているため、データの中継が開始される時に再認証は行われない。したがって、再生部１１４は、データの再生中に受信装置１０３へのデータの中継が開始される場合でも、データの再生を中断せずに継続することができる。
【００３５】
［１−３．効果等］
以上のように、本実施の形態において、中継装置１０２は、通信部１１１および記憶部１１２を備える。記憶部１１２は、中継装置１０２に接続可能な受信装置１０３の機器情報を記憶するための記憶部である。通信部１１１は、認証前から記憶部１１２に予め記憶されている機器情報を認証時に送信装置１０１へ送信する。
【００３６】
これにより、中継装置１０２は、中継装置１０２に接続可能な受信装置１０３の機器情報を予め保持することができる。そして、中継装置１０２は、予め保持されている機器情報を認証時に送信装置１０１へ送信することができる。したがって、中継装置１０２は、データの中継を開始する際に、受信装置１０３の機器情報を送信しなくてもよい。よって、中継の開始時に、再認証が発生しない。そのため、中継装置１０２は、中継の開始時に発生する弊害を軽減することができる。
【００３７】
例えば、通信部１１１は、中継装置１０２と受信装置１０３との間で接続が確立していない場合でも、受信装置１０３の機器情報を送信装置１０１へ送信してもよい。
【００３８】
これにより、中継装置１０２と受信装置１０３との間で接続が確立された後に、中継装置１０２は、受信装置１０３の機器情報を送信しなくてもよい。そのため、中継装置１０２は、中継の開始時に発生する弊害を軽減することができる。
【００３９】
また、例えば、通信部１１１は、記憶部１１２に機器情報が記憶されている場合に、機器情報を送信装置１０１へ送信してもよい。
【００４０】
これにより、中継装置１０２は、中継装置１０２に接続可能な受信装置１０３が存在するか否かに基づいて、機器情報を送信装置１０１へ送信することができる。そのため、中継装置１０２は、適応的に機器情報を送信装置１０１へ送信することができる。
【００４１】
また、例えば、表示部１１５は、機器情報を記憶部１１２に格納するためのＧＵＩを表示してもよい。これにより、ＧＵＩの操作に応じて、機器情報が記憶部１１２に格納される。そのため、機器情報が選択的に記憶部１１２に格納される。
【００４２】
また、例えば、中継装置１０２の製造時に、記憶部１１２に機器情報が格納されてもよい。これにより、中継のための環境が、製造時において予め準備される。
【００４３】
また、例えば、受信部１１３は、他の装置から機器情報を受信してもよい。そして、記憶部１１２に、受信部１１３で受信された機器情報が格納されてもよい。これにより、適切な機器情報が、ネットワーク等を介して、記憶部１１２に格納される。
【００４４】
また、例えば、機器情報は、受信装置１０３を一意に特定するための情報でもよい。これにより、送信装置１０１は、機器情報に基づいて、受信装置１０３を特定することができる。したがって、送信装置１０１は、適切に送信を制御することができる。
【００４５】
また、例えば、機器情報は、ＲｅｃｅｉｖｅｒＩＤまたはＫＳＶでもよい。ＲｅｃｅｉｖｅｒＩＤは、ＨＤＣＰ２．ｘにおいて受信装置１０３等の受信装置を一意に特定するための情報である。ＫＳＶは、ＨＤＣＰ１．ｘにおいて受信装置１０３等の受信装置を一意に特定するための情報である。通信部１１１は、ＨＤＣＰに基づく認証時に受信装置１０３のＲｅｃｅｉｖｅｒＩＤまたはＫＳＶを送信してもよい。これにより、送信装置１０１は、ＨＤＣＰに基づいて、適切に送信を制御することができる。
【００４６】
また、例えば、通信部１１１は、認証後に送信装置１０１からデータを受信してもよい。そして、再生部１１４は、受信されたデータを再生してもよい。データの再生中に受信装置１０３へのデータの中継が開始される場合でも、再生部１１４は、データの再生を中断せずに継続することができる。
【００４７】
また、例えば、通信部１１１は、受信装置１０３へのデータの送信が認証時に予定されていない場合でも、受信装置１０３の機器情報を認証時に送信装置１０１へ送信して、受信装置１０３への送信が認められたデータを受信してもよい。これにより、中継装置１０２は、適宜、受信装置１０３へのデータの送信を開始することができる。そのため、中継装置１０２は、中継の開始時に発生する弊害を軽減することができる。
【００４８】
また、例えば、通信部１１１は、受信装置１０３がデータを要求する前に、受信装置１０３の機器情報を送信装置１０１へ送信してもよい。そして、通信部１１１は、受信装置１０３がデータを要求する前に、受信装置１０３へ送信するためのデータを受信してもよい。これにより、中継装置１０２は、受信装置１０３からのデータの要求時に、受信装置１０３の機器情報を送信装置１０１へ送信せずに、データを受信装置１０３へ送信することができる。そのため、中継装置１０２は、要求の応答時に発生する弊害を軽減することができる。
【００４９】
また、例えば、通信部１１１は、送信装置１０１と通信する第１の通信部、および、受信装置１０３と通信する第２の通信部を有してもよい。さらに、第１の通信部は有線で通信する機能を有し、第２の通信部は無線で通信する機能を有してもよい。これにより、例えば、通信部１１１は、有線で送信装置１０１からデータを受信し、無線で受信装置１０３へデータを送信することができる。送信装置１０１が有線で通信するためのインタフェースのみを有し、受信装置１０３が無線で通信するためのインタフェースのみを有している場合でも、中継装置１０２は、適切にデータを中継することができる。
【００５０】
なお、中継装置１０２における受信部１１３、再生部１１４、表示部１１５および制御部１１６は、それぞれ、任意の構成要素である。例えば、受信装置１０３の機器情報が記憶部１１２に予め記憶されている場合、機器情報を受信する受信部１１３、および、ＧＵＩを表示する表示部１１５は、中継装置１０２に含まれていなくてもよい。また、中継装置１０２における各構成要素は、制御部１１６によらず動作を行ってもよい。そのため、制御部１１６は、中継装置１０２に含まれていなくてもよい。
【００５１】
また、中継装置１０２は、送信装置１０１から受信装置１０３とは別の受信装置へデータを中継している場合でも、別の受信装置への中継を中断せずに、受信装置１０３への中継を開始できる。したがって、中継装置１０２に再生部１１４が含まれない場合でも、中継装置１０２は、データの中継を開始する際に発生する弊害を軽減することができる。
【００５２】
したがって、受信部１１３、再生部１１４、表示部１１５および制御部１１６は、それぞれ、中継装置１０２に含まれていなくてもよい。そして、中継装置１０２は、これらが行う動作を行わなくてもよい。
【００５３】
（実施の形態２）
以下、図３〜１１を用いて、本実施の形態を説明する。本実施の形態では、実施の形態１の第１の具体例が示される。
【００５４】
［２−１．構成］
図３は、本実施の形態における送受信システムの構成を示すブロック図である。図３のように、送受信システム１１０は、ソース装置２００、リピータ装置３００およびシンク装置４００を備える。
【００５５】
ソース装置２００は、送受信システム１１０において、データを送信する送信装置である。例えば、ソース装置２００は、セットトップボックスである。ソース装置２００は、信号処理部２０１、制御部２０２、および、ＨＤＭＩ通信部２０３を備える。
【００５６】
信号処理部２０１は、信号（データ）を処理する処理部である。処理される信号は、音声を示す音声信号でもよいし、映像を示す映像信号でもよいし、音声を含む映像を示す映像信号でもよい。例えば、信号処理部２０１は、放送またはネットワークを介して、映像または音声を示す信号を取得する。
【００５７】
制御部２０２は、ソース装置２００に含まれる各構成要素の動作を制御するコントローラである。例えば、制御部２０２は、ＨＤＭＩ通信部２０３にリピータ装置３００と通信させることにより、ＨＤＭＩ通信部２０３を介して、リピータ装置３００と通信する。そして、制御部２０２は、ＨＤＭＩ通信部２０３を介して、リピータ装置３００を認証する。また、制御部２０２は、ＨＤＣＰ１．ｘに基づいて、データを暗号化し、暗号化されたデータをリピータ装置３００へ送信する。
【００５８】
ＨＤＭＩ通信部２０３は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に基づいて外部の装置と通信するためのインタフェースである。ＨＤＭＩは、信号を送受信するための方式（規格）である。ＨＤＭＩ通信部２０３は、ＨＤＭＩ信号線を介してリピータ装置３００に接続する。そして、ＨＤＭＩ通信部２０３は、ＨＤＭＩに基づいて、リピータ装置３００と通信する。より具体的には、ＨＤＭＩ通信部２０３は、ＨＤＣＰ１．ｘに対応するＨＤＭＩに基づいて、リピータ装置３００と通信する。
【００５９】
ソース装置２００とリピータ装置３００とは、ＨＤＭＩ信号線を介して互いに接続される。ＨＤＭＩ信号線には、ＨｏｔＰｌｕｇ信号線が含まれる。ソース装置２００の制御部２０２、および、リピータ装置３００の制御部３０２は、ＨｏｔＰｌｕｇ信号線を流れる信号に基づいて、ソース装置２００とリピータ装置３００とがＨＤＭＩ信号線を介して接続されたことを検知する。そして、ソース装置２００の制御部２０２、および、リピータ装置３００の制御部３０２は、接続が検知された時に、認証を開始する。
【００６０】
リピータ装置３００は、送受信システム１１０において、データを中継する中継装置である。また、リピータ装置３００は、ソース装置２００からデータを受信する受信装置でもある。例えば、リピータ装置３００は、テレビジョン受像機である。リピータ装置３００は、ＨＤＭＩ通信部３０１、制御部３０２、シンク情報保持部３０３、ＨＤＣＰ通信部３０４、および、音声映像再生部３０５を備える。
【００６１】
ＨＤＭＩ通信部３０１は、ＨＤＭＩに基づいて外部の装置と通信するためのインタフェースである。ＨＤＭＩ通信部３０１は、ＨＤＭＩ信号線を介してソース装置２００に接続する。そして、ＨＤＭＩ通信部３０１は、ＨＤＭＩに基づいて、ソース装置２００と通信する。より具体的には、ＨＤＭＩ通信部３０１は、ＨＤＣＰ１．ｘに対応するＨＤＭＩに基づいて、ソース装置２００と通信する。
【００６２】
制御部３０２は、リピータ装置３００に含まれる各構成要素の動作を制御するコントローラである。例えば、制御部３０２は、ＨＤＭＩ通信部３０１にソース装置２００と通信させることにより、ＨＤＭＩ通信部３０１を介して、ソース装置２００と通信する。そして、制御部３０２は、ＨＤＭＩ通信部３０１を介して、ソース装置２００を認証する。また、制御部３０２は、ＨＤＣＰ１．ｘに基づいて、暗号化されたデータをソース装置２００から受信し、データを復号化する。
【００６３】
また、例えば、制御部３０２は、ＨＤＣＰ通信部３０４にシンク装置４００と通信させることにより、ＨＤＣＰ通信部３０４を介して、シンク装置４００と通信する。そして、制御部３０２は、ＨＤＣＰ通信部３０４を介して、シンク装置４００を認証する。また、制御部３０２は、ＨＤＣＰ２．ｘに基づいて、データを暗号化し、暗号化されたデータをシンク装置４００へ送信する。
【００６４】
シンク情報保持部３０３は、シンク情報を保持するための記憶部である。具体的には、シンク情報保持部３０３は、メモリ等の記憶素子で構成される。シンク情報は、シンク装置４００の情報である。より具体的には、シンク情報は、シンク装置４００を一意に特定するための情報であり、ＨＤＣＰ１．ｘにおけるＫＳＶでもよいし、ＨＤＣＰ２．ｘにおけるＲｅｃｅｉｖｅｒＩＤでもよい。例えば、制御部３０２は、ディスプレイ部３０９で表示されるＧＵＩに基づいて、シンク情報保持部３０３にシンク情報を格納する。
【００６５】
ＨＤＣＰ通信部３０４は、ＨＤＣＰに基づいて外部の装置と通信するためのインタフェースである。ＨＤＣＰ通信部３０４は、ＨＤＣＰ信号線を介してシンク装置４００に接続する。そして、ＨＤＣＰ通信部３０４は、ＨＤＣＰに基づいて、シンク装置４００と通信する。より具体的には、ＨＤＣＰ通信部３０４は、ＨＤＣＰ２．ｘに基づいて、シンク装置４００と通信する。
【００６６】
音声映像再生部３０５は、音声および映像を再生する処理部である。例えば、音声映像再生部３０５は、ＨＤＭＩ通信部３０１によって受信され、制御部３０２によって復号化（デクリプト）されたデータをデコードする。これにより、音声映像再生部３０５は、音声および映像を再生する。音声映像再生部３０５は、音声信号処理部３０６、アンプ部３０７、映像信号処理部３０８およびディスプレイ部３０９を備える。音声映像再生部３０５は、さらに、スピーカを備えてもよい。
【００６７】
音声信号処理部３０６は、音声信号を処理する処理部である。例えば、音声信号処理部３０６は、制御部３０２によって復号化（デクリプト）されたデータに含まれる音声信号をデコードする。アンプ部３０７は、音声信号を増幅する処理部である。例えば、アンプ部３０７は、音声信号処理部３０６でデコードされた音声信号を増幅する。増幅された音声信号は、スピーカを介して、音声として出力される。
【００６８】
映像信号処理部３０８は、映像信号を処理する処理部である。例えば、映像信号処理部３０８は、制御部３０２によって復号化（デクリプト）されたデータに含まれる映像信号をデコードする。ディスプレイ部３０９は、画像または映像等を表示するディスプレイである。例えば、ディスプレイ部３０９は、映像信号処理部３０８でデコードされた映像信号を映像として出力する。
【００６９】
シンク装置４００は、送受信システム１１０において、データを受信する受信装置である。例えば、シンク装置４００は、スマートフォンである。シンク装置４００は、ＨＤＣＰ通信部４０１、制御部４０２、および、音声映像再生部４０５を備える。
【００７０】
ＨＤＣＰ通信部４０１は、ＨＤＣＰに基づいて外部の装置と通信するためのインタフェースである。ＨＤＣＰ通信部４０１は、ＨＤＣＰ信号線を介してリピータ装置３００に接続する。そして、ＨＤＣＰ通信部４０１は、ＨＤＣＰに基づいて、リピータ装置３００と通信する。より具体的には、ＨＤＣＰ通信部４０１は、ＨＤＣＰ２．ｘに基づいて、リピータ装置３００と通信する。
【００７１】
制御部４０２は、シンク装置４００に含まれる各構成要素の動作を制御するコントローラである。例えば、制御部４０２は、ＨＤＣＰ通信部４０１にリピータ装置３００と通信させることにより、ＨＤＣＰ通信部４０１を介して、リピータ装置３００と通信する。そして、制御部４０２は、ＨＤＣＰ通信部４０１を介して、リピータ装置３００を認証する。また、制御部４０２は、ＨＤＣＰ２．ｘに基づいて、暗号化されたデータをリピータ装置３００から受信し、データを復号化する。
【００７２】
音声映像再生部４０５は、音声および映像を再生する処理部である。例えば、音声映像再生部４０５は、ＨＤＣＰ通信部４０１によって受信され、制御部４０２によって復号化（デクリプト）されたデータをデコードする。これにより、音声映像再生部４０５は、音声および映像を再生する。音声映像再生部４０５は、音声信号処理部４０６、アンプ部４０７、映像信号処理部４０８およびディスプレイ部４０９を備える。音声映像再生部４０５は、さらに、スピーカを備えてもよい。
【００７３】
音声信号処理部４０６は、音声信号を処理する処理部である。例えば、音声信号処理部４０６は、制御部４０２によって復号化（デクリプト）されたデータに含まれる音声信号をデコードする。アンプ部４０７は、音声信号を増幅する処理部である。例えば、アンプ部４０７は、音声信号処理部４０６でデコードされた音声信号を増幅する。増幅された音声信号は、スピーカを介して、音声として出力される。
【００７４】
映像信号処理部４０８は、映像信号を処理する処理部である。例えば、映像信号処理部４０８は、制御部４０２によって復号化（デクリプト）されたデータに含まれる映像信号をデコードする。ディスプレイ部４０９は、画像または映像等を表示するディスプレイである。例えば、ディスプレイ部４０９は、映像信号処理部４０８でデコードされた映像信号を映像として出力する。
【００７５】
［２−２．動作］
以上のように構成された送受信システム１１０について、その動作を以下説明する。送受信システム１１０は、送信装置１０１から受信装置１０３へデータを送信するための各動作を行う。以下、それぞれの動作について詳細に説明する。
【００７６】
図４は、図３に示されたソース装置２００の動作を示すフローチャートである。まず、ソース装置２００とリピータ装置３００との間で認証が行われる（Ｓ２０１）。この時、ソース装置２００の制御部２０２は、リピータ装置３００を認証する。また、この時、制御部２０２は、ＨＤＭＩ通信部２０３を介して、リピータ装置３００から送信されるシンク情報（シンク装置４００の機器情報）を受信する。
【００７７】
認証が正常に行われた後、ソース装置２００の制御部２０２は、映像を暗号化する（Ｓ２０２）。そして、制御部２０２は、ＨＤＭＩ通信部２０３を介して、暗号化された映像をリピータ装置３００へ送信する（Ｓ２０３）。
【００７８】
図５は、図３に示されたリピータ装置３００の動作を示すフローチャートである。まず、シンク情報（シンク装置４００の機器情報）をリピータ装置３００に登録するため、リピータ装置３００とシンク装置４００との間で、接続が確立され、認証が行われる（Ｓ３０１）。
【００７９】
この時、リピータ装置３００の制御部３０２は、シンク装置４００を認証する。そして、制御部３０２は、ＨＤＣＰ通信部３０４を介して、シンク装置４００から送信されるシンク情報（シンク装置４００の機器情報）を受信する。制御部３０２は、シンク情報保持部３０３に格納する。これにより、シンク情報が登録される。登録後、リピータ装置３００とシンク装置４００との接続は解放されてもよい（Ｓ３０２）。
【００８０】
その後、ソース装置２００とリピータ装置３００との間で認証が行われる（Ｓ３１１）。この時、リピータ装置３００の制御部３０２は、ソース装置２００を認証する。また、この時、制御部３０２は、ＨＤＭＩ通信部３０１を介して、シンク情報保持部３０３に格納されたシンク情報をソース装置２００へ送信する。
【００８１】
認証が正常に行われた後、リピータ装置３００の制御部３０２は、ＨＤＭＩ通信部３０１を介して、暗号化された映像をソース装置２００から受信する（Ｓ３１２）。そして、制御部３０２は、暗号化された映像を復号化する（Ｓ３１３）。そして、音声映像再生部３０５は、映像を再生する（Ｓ３１４）。
【００８２】
その後、リピータ装置３００とシンク装置４００との間で、再度、認証が行われる（Ｓ３２１）。この時、リピータ装置３００の制御部３０２は、シンク装置４００を認証する。認証が正常に行われた後、リピータ装置３００の制御部３０２は、映像を暗号化する（Ｓ３２２）。そして、制御部３０２は、ＨＤＣＰ通信部３０４を介して、暗号化された映像をシンク装置４００へ送信する（Ｓ３２３）。
【００８３】
図６は、図３に示されたシンク装置４００の動作を示すフローチャートである。まず、シンク情報（シンク装置４００の機器情報）をリピータ装置３００に登録するため、リピータ装置３００とシンク装置４００との間で、接続が確立され、認証が行われる（Ｓ４０１）。
【００８４】
この時、シンク装置４００の制御部４０２は、リピータ装置３００を認証する。そして、制御部４０２は、ＨＤＣＰ通信部４０１を介して、シンク情報（シンク装置４００の機器情報）をリピータ装置３００へ送信する。これにより、シンク情報が登録される。登録後、リピータ装置３００とシンク装置４００との接続は解放されてもよい（Ｓ４０２）。
【００８５】
その後、リピータ装置３００とシンク装置４００との間で認証が行われる（Ｓ４１１）。この時、シンク装置４００の制御部４０２は、リピータ装置３００を認証する。
【００８６】
認証が正常に行われた後、シンク装置４００の制御部４０２は、ＨＤＣＰ通信部４０１を介して、暗号化された映像をリピータ装置３００から受信する（Ｓ４１２）。そして、制御部４０２は、暗号化された映像を復号化する（Ｓ４１３）。そして、音声映像再生部４０５は、映像を再生する（Ｓ４１４）。
【００８７】
図７は、図３に示された送受信システム１１０の動作を示すシーケンス図である。ソース装置２００は、ＨＤＣＰ１．ｘに対応するインタフェースを有する。リピータ装置３００は、ＨＤＣＰ１．ｘに対応するインタフェース、および、ＨＤＣＰ２．ｘに対応するインタフェースを有する。シンク装置４００は、ＨＤＣＰ２．ｘに対応するインタフェースを有する。送受信システム１１０の動作は、主に、機器情報登録フェーズ、ＵｐＳｔｒｅａｍフェーズ、および、ＤｏｗｎＳｔｒｅａｍフェーズに分けられる。
【００８８】
機器情報登録フェーズにおいて、まず、リピータ装置３００とシンク装置４００との間で認証処理が行われる。この認証処理は、ＨＤＣＰ１．ｘ、または、ＨＤＣＰ２．ｘに基づく。そして、リピータ装置３００において、シンク装置４００の機器情報が登録される。
【００８９】
ＵｐＳｔｒｅａｍフェーズ（上流フェーズ）は、ＨｏｔＰｌｕｇ信号によって開始される。具体的には、ＨｏｔＰｌｕｇ信号によって、ソース装置２００およびリピータ装置３００は、ソース装置２００およびリピータ装置３００の接続を検知する。これにより、ソース装置２００とリピータ装置３００との間で認証処理が行われる。この認証処理は、ＨＤＣＰ１．ｘに基づく。
【００９０】
また、認証処理において、登録済みの機器情報がリピータ装置３００からソース装置２００へ送信される。また、認証処理において、ソース装置２００とリピータ装置３００との間で、暗号化および復号化に用いられる鍵が交換される。
【００９１】
認証処理が正常に行われた後、ソース装置２００において、映像および音声が暗号化される。そして、暗号化された映像、および、暗号化された音声が、ソース装置２００からリピータ装置３００へ、送信される。そして、リピータ装置３００において、暗号化された映像、および、暗号化された音声が、復号化される。
【００９２】
ＤｏｗｎＳｔｒｅａｍフェーズ（下流フェーズ）は、リピータ装置３００とシンク装置４００とが接続されることにより、開始する。まず、リピータ装置３００とシンク装置４００との間で認証処理が行われる。この認証処理は、ＨＤＣＰ２．ｘまたはＨＤＣＰ１．ｘに基づく。また、認証処理において、リピータ装置３００とシンク装置４００との間で、暗号化および復号化に用いられる鍵が交換される。
【００９３】
認証処理が正常に行われた後、リピータ装置３００において、映像および音声が暗号化される。そして、暗号化された映像、および、暗号化された音声が、リピータ装置３００からシンク装置４００へ、送信される。そして、シンク装置４００において、暗号化された映像、および、暗号化された音声が、復号化される。
【００９４】
図８は、機器情報の登録時にリピータ装置３００で表示されるＧＵＩ画面の例を示す図である。より具体的には、図８に示されたＧＵＩ画面は、リピータ装置３００のディスプレイ部３０９に表示される。
【００９５】
また、図８は、図７の機器情報登録フェーズおよびＵｐＳｔｒｅａｍフェーズにおけるリピータ装置３００で表示されるＧＵＩ画面の例を示す。この例では、リピータ装置３００のディスプレイ部３０９に表示されるＧＵＩ画面の操作によって、機器情報がリピータ装置３００に登録される。また、図８に示されたスマートフォンＡ、スマートフォンＢ、スマートフォンＣおよびＴＶ１は、それぞれ、シンク装置４００の例である。
【００９６】
まず、ソース装置２００とリピータ装置３００との間で認証が行われている場合、リピータ装置３００は、図８の（ａ）のように、ソース装置２００から送信される映像を表示することができる。
【００９７】
次に、リピータ装置３００のリモコンなどによって、機器情報を登録するための操作が選択されることにより、図８の（ｂ）のようなＧＵＩ画面が表示される。図８の（ｂ）のＧＵＩ画面では、Ｗｉ−Ｆｉダイレクト等で接続可能な機器が登録対象機器の候補として表示される。ここで、リピータ装置３００は、ディスプレイの全体に、ＧＵＩ画面を表示する。これにより、映像が再生されていた場合でも、再生の中断（途切れ）が隠蔽される。
【００９８】
次に、登録対象機器を確認するためのメッセージが表示される（図８の（ｃ））。そして、操作に応じて、登録処理中を示すメッセージが表示される（図８の（ｄ））。
【００９９】
図８の（ｄ）のようなメッセージが表示されている間に、リピータ装置３００とシンク装置４００との間で認証が行われ、リピータ装置３００においてシンク装置４００の機器情報が登録される。さらに、ソース装置２００とリピータ装置３００との間で認証が行われると同時に、登録された機器情報がソース装置２００に送信される。したがって、再生の中断が発生する。この中断は、図８の（ｄ）の表示によって隠蔽される。
【０１００】
リピータ装置３００とシンク装置４００との間で認証が正常に行われ、ソース装置２００とリピータ装置３００との間で認証が正常に行われた後、登録完了を示すメッセージが表示される（図８の（ｅ））。そして、リピータ装置３００は、再び、図８の（ｆ）のように、ソース装置２００から送信される映像を表示することができる。
【０１０１】
図９は、機器情報の登録時にシンク装置４００で表示されるＧＵＩ画面の例を示す図である。より具体的には、図９に示されたＧＵＩ画面は、シンク装置４００のディスプレイ部４０９に表示される。
【０１０２】
また、図９は、図７の機器情報登録フェーズおよびＵｐＳｔｒｅａｍフェーズにおけるシンク装置４００で表示されるＧＵＩ画面の例を示す。この例では、シンク装置４００のディスプレイ部４０９に表示されるＧＵＩ画面の操作によって、機器情報がリピータ装置３００に登録される。また、図９に示されたＴＶ２は、リピータ装置３００の例である。
【０１０３】
まず、初期画面（図９の（ａ））において、機器情報を登録するための操作が選択されることにより、図９の（ｂ）のようなＧＵＩ画面が表示される。図９の（ｂ）のＧＵＩ画面では、Ｗｉ−Ｆｉダイレクト等で接続可能な機器が登録先の機器の候補として表示される。ここで、シンク装置４００は、ディスプレイの全体に、ＧＵＩ画面を表示しなくてもよい。
【０１０４】
次に、登録先の機器を確認するためのメッセージが表示される（図９の（ｃ））。そして、操作に応じて、登録処理中を示すメッセージが表示される（図９の（ｄ））。
【０１０５】
図９の（ｄ）のようなメッセージが表示されている間に、リピータ装置３００とシンク装置４００との間で認証が行われ、リピータ装置３００においてシンク装置４００の機器情報が登録される。リピータ装置３００とシンク装置４００との間で認証が正常に行われた後、登録完了を示すメッセージが表示される（図９の（ｅ））。
【０１０６】
機器情報が登録された後、ソース装置２００とリピータ装置３００との間で認証が行われてもよい。この場合、登録された機器情報がソース装置２００に送信される。この時にリピータ装置３００がソース装置２００から送信された映像を表示している場合、リピータ装置３００は、映像の表示を中断し、登録処理中のメッセージを表示する（図９の（ｆ））。
【０１０７】
あるいは、ソース装置２００とリピータ装置３００とが再接続される時に、ソース装置２００とリピータ装置３００との間で再認証が行われてもよい。あるいは、リピータ装置３００がソース装置２００から送信された映像を表示している場合、映像の終了後に、ソース装置２００とリピータ装置３００との間で再認証が行われてもよい。
【０１０８】
図１０は、転送の開始時にリピータ装置３００で表示されるＧＵＩ画面の例を示す図である。より具体的には、図１０に示されたＧＵＩ画面は、リピータ装置３００のディスプレイ部３０９に表示される。
【０１０９】
また、図１０は、図７のＤｏｗｎＳｔｒｅａｍフェーズにおけるリピータ装置３００で表示されるＧＵＩ画面の例を示す。この例では、リピータ装置３００のディスプレイ部３０９に表示されるＧＵＩ画面の操作によって、映像がシンク装置４００へ送信される。また、図１０に示されたスマートフォンＢおよびＴＶ１は、それぞれ、シンク装置４００の例である。
【０１１０】
リピータ装置３００は、図１０の（ａ）のように、ソース装置２００から送信される映像を表示していてもよい。
【０１１１】
次に、リピータ装置３００のリモコンなどによって、映像を転送するための操作が選択されることにより、図１０の（ｂ）のようなＧＵＩ画面が表示される。図１０の（ｂ）のＧＵＩ画面では、登録済みで、かつ、その時点で接続可能な機器のみが、転送先の機器の候補として表示される。ここで、リピータ装置３００は、ディスプレイの全体に、ＧＵＩ画面を表示しなくてもよい。つまり、リピータ装置３００は、ソース装置２００から送信される映像の表示を継続してもよい。
【０１１２】
次に、転送先の機器を確認するためのメッセージが表示される（図１０の（ｃ））。そして、操作に応じて、転送処理中を示すメッセージが表示される（図１０の（ｄ））。この間に、リピータ装置３００とシンク装置４００との間で認証が行われる。
【０１１３】
リピータ装置３００とシンク装置４００との間で認証が正常に行われ後、処理の完了を示すメッセージが表示される（図１０の（ｅ））。そして、リピータ装置３００は、再び、図１０の（ｆ）のように、ソース装置２００から送信される映像をディスプレイの全体に表示することができる。
【０１１４】
図１１は、転送の開始時にシンク装置４００で表示されるＧＵＩ画面の例を示す図である。より具体的には、図１１に示されたＧＵＩ画面は、シンク装置４００のディスプレイ部４０９に表示される。
【０１１５】
また、図１１は、図７のＤｏｗｎＳｔｒｅａｍフェーズにおけるシンク装置４００で表示されるＧＵＩ画面の例を示す。この例では、シンク装置４００のディスプレイ部４０９に表示されるＧＵＩ画面の操作によって、映像がシンク装置４００へ送信される。また、図１１に示されたＴＶ２は、リピータ装置３００の例である。
【０１１６】
まず、初期画面（図１１の（ａ））において、映像を転送するための操作が選択されることにより、図１１の（ｂ）のようなＧＵＩ画面が表示される。図１１の（ｂ）のＧＵＩ画面では、シンク装置４００の機器情報が登録された機器（リピータ装置３００）が接続先の機器の候補として表示される。ここで、シンク装置４００は、ディスプレイの全体に、ＧＵＩ画面を表示しなくてもよい。
【０１１７】
次に、接続先の機器を確認するためのメッセージが表示される（図１１の（ｃ））。そして、操作に応じて、接続処理中を示すメッセージが表示される（図１１の（ｄ））。この間に、リピータ装置３００とシンク装置４００との間で認証が行われる。リピータ装置３００とシンク装置４００との間で認証が正常に行われた後、処理の完了を示すメッセージが表示される（図１１の（ｅ））。
【０１１８】
そして、シンク装置４００は、図１１の（ｆ）のように、ソース装置２００からリピータ装置３００を介して送信される映像を表示することができる。
【０１１９】
［２−３．効果等］
以上のように、本実施の形態において、ソース装置２００とリピータ装置３００との間でＨＤＣＰ認証（ＨＤＣＰに基づく認証）が行われる前に、リピータ装置３００とシンク装置４００との間でＨＤＣＰ認証が行われる。ＨＤＣＰ認証が正常に行われた後、リピータ装置３００は、シンク装置４００の機器情報（ＨＤＣＰ２．ｘにおけるＲｅｃｅｉｖｅｒＩＤまたはＨＤＣＰ１．ｘにおけるＫＳＶ）を登録する。
【０１２０】
そして、ソース装置２００とリピータ装置３００との間でＨＤＣＰ認証が行われる際に、リピータ装置３００は、登録された機器情報をソース装置２００へ送信する。その時点において、リピータ装置３００とシンク装置４００とが接続されていなくてもよい。認証が正常に行われた後、リピータ装置３００は、ソース装置２００から送信される映像を再生できる。
【０１２１】
その後、リピータ装置３００とシンク装置４００との間でＨＤＣＰ認証が行われる。ＨＤＣＰ認証が正常に行われた後、シンク装置４００は、ソース装置２００からリピータ装置３００を介して送信される映像を再生できる。この時、ソース装置２００とリピータ装置３００との間で再認証が行われない。したがって、映像が途切れるという弊害が軽減される。
【０１２２】
（実施の形態３）
以下、図１２〜１４を用いて、本実施の形態を説明する。本実施の形態では、実施の形態１の第２の具体例が示される。
【０１２３】
［３−１．構成］
図１２は、本実施の形態における送受信システムの構成を示すブロック図である。図１２に示された送受信システム１２０は、図３に示された送受信システム１１０と比較して、サーバ装置６００を備える。また、サーバ装置６００は、シンク情報送信部６０１を備える。また、リピータ装置５００は、シンク情報受信部５１０を追加の構成要素として備える。
【０１２４】
サーバ装置６００は、シンク情報（シンク装置４００の機器情報）を提供する。より具体的には、サーバ装置６００のシンク情報送信部６０１が、放送またはＷｅｂ等のネットワークを介して、シンク情報をリピータ装置５００へ送信する。シンク情報送信部６０１は、情報を送信するためのインタフェースである。
【０１２５】
リピータ装置５００のシンク情報受信部５１０は、情報を受信するためのインタフェースである。具体的には、シンク情報受信部５１０は、放送またはＷｅｂ等のネットワークを介して、サーバ装置６００からシンク情報を受信する。
【０１２６】
リピータ装置５００の制御部３０２は、シンク情報受信部５１０で受信されたシンク情報をシンク情報保持部３０３に格納する。これにより、リピータ装置５００とシンク装置４００との間で予め認証が行われることなく、シンク情報が登録される。制御部３０２は、シンク情報受信部５１０で受信されたシンク情報を登録せずにソース装置２００へ送信してもよい。
【０１２７】
［３−２．動作］
以上のように構成された送受信システム１２０について、その動作を以下説明する。送受信システム１２０は、ソース装置２００からシンク装置４００へデータを送信するための各動作を行う。以下、それぞれの動作について詳細に説明する。
【０１２８】
図１３は、図１２に示されたリピータ装置５００の動作を示すフローチャートである。まず、リピータ装置５００のシンク情報受信部５１０は、シンク装置４００の機器情報をサーバ装置６００から受信する（Ｓ５０１）。次に、制御部３０２は、受信された機器情報をシンク情報保持部３０３に格納する。これにより、機器情報が登録される（Ｓ５０２）。その後の動作は、図５に示された動作と同じである。
【０１２９】
図１４は、図１２に示されたシンク装置４００の動作を示すフローチャートである。図１４に示された動作では、図６に示された動作と比較して、機器情報の登録のための認証（Ｓ４０１）、および、その後の接続の解放（Ｓ４０２）が省略されている。図１４に示された他の動作は、図６に示された動作と同じである。
【０１３０】
すなわち、リピータ装置５００およびシンク装置４００において、機器情報の登録のための認証（Ｓ３０１、Ｓ４０１）、および、その後の接続の解放（Ｓ３０２、Ｓ４０２）が、省略される。そして、これに代えて、リピータ装置５００は、サーバ装置６００から受信された機器情報を登録する。なお、送受信システム１２０におけるソース装置２００の動作は、図４に示された動作と同じである。
【０１３１】
［３−３．効果等］
以上のように、本実施の形態において、リピータ装置５００のシンク情報受信部５１０は、シンク装置４００の機器情報をサーバ装置６００から受信する。そして、制御部３０２は、受信された機器情報をシンク情報保持部３０３に格納する。
【０１３２】
これにより、リピータ装置５００およびシンク装置４００において、機器情報の登録のための認証が省略される。したがって、事前に行われる作業が軽減される。
【０１３３】
（他の実施の形態）
以上のように、本出願において開示する技術の例示として、実施の形態１〜３を説明した。しかしながら、本開示における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【０１３４】
そこで、以下、他の実施の形態を例示する。
【０１３５】
実施の形態１〜３では、通信部（コミュニケーター）の例として通信部１１１およびＨＤＭＩ通信部３０１等を説明した。通信部は、受信装置の機器情報を送信装置へ送信することができればよい。したがって、通信部は、通信部１１１およびＨＤＭＩ通信部３０１等に限定されない。
【０１３６】
また、実施の形態１〜３では、記憶部（ストレージ）の例として記憶部１１２およびシンク情報保持部３０３を説明した。記憶部は、受信装置の機器情報を記憶することができればよい。したがって、記憶部は、記憶部１１２およびシンク情報保持部３０３に限定されない。
【０１３７】
また、実施の形態１〜３では、再生部（プレイヤー）の例として再生部１１４および音声映像再生部３０５を説明した。再生部は、データを再生することができればよい。したがって、再生部は、再生部１１４および音声映像再生部３０５に限定されない。
【０１３８】
また、実施の形態１〜３では、表示部（ディスプレイ）の例として表示部１１５およびディスプレイ部３０９を説明した。表示部は、ＧＵＩを表示することができればよい。したがって、表示部は、表示部１１５およびディスプレイ部３０９に限定されない。
【０１３９】
また、実施の形態１および３では、受信部（レシーバ）の例として受信部１１３およびシンク情報受信部５１０を説明した。受信部は、受信装置の機器情報を受信することができればよい。したがって、受信部は、受信部１１３およびシンク情報受信部５１０に限定されない。
【０１４０】
また、例えば、複数の受信装置が、中継装置に接続可能でもよい。中継装置の記憶部には、複数の受信装置のそれぞれの機器情報が格納されてもよい。例えば、ＨＤＣＰにおいて複数の受信装置の数として定められた上限まで、機器情報がそれぞれ格納されてもよい。また、機器情報は、操作によらず、中継装置と受信装置との間で認証が行われた時に自動的に中継装置の記憶部に格納されてもよい。
【０１４１】
また、例えば、送信装置、中継装置または受信装置に含まれる特定の構成要素が実行する処理を別の構成要素が実行してもよい。また、処理を実行する順番が変更されてもよいし、複数の処理が並行して実行されてもよい。
【０１４２】
また、本開示に係る構成は、中継装置として実現できるだけでなく、中継装置で実行される処理を含む中継方法として実現できる。例えば、その方法は、コンピュータ（より具体的にはコンピュータのプロセッサ）によって実行される。そして、本開示に係る構成は、その方法をコンピュータに実行させるためのプログラムとして実現できる。さらに、本開示に係る構成は、そのプログラムが記録されたＣＤ−ＲＯＭ等の非一時的なコンピュータ読み取り可能な記録媒体として実現できる。
【０１４３】
また、中継装置は、集積回路などの電子回路でもよい。中継装置に含まれる複数の構成要素は、全体として１つの回路でもよいし、それぞれ別々の回路でもよい。また、これらの構成要素は、それぞれ、汎用的な回路でもよいし、専用の回路でもよい。
【０１４４】
また、中継装置は、実施の形態１〜３等に示された構成要素に対応するメモリおよびプロセッサを備えてもよい。そして、プロセッサが、メモリを用いて、実施の形態１〜３等に示された処理を実行してもよい。
【０１４５】
以上のように、本開示における技術の例示として、実施の形態を説明した。そのために、添付図面および詳細な説明を提供した。
【０１４６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１４７】
また、上述の実施の形態は、本開示における技術を例示するためのものであるから、特許請求の範囲またはその均等の範囲において種々の変更、置き換え、付加、省略などを行うことができる。
【産業上の利用可能性】
【０１４８】
本開示は、送信装置から受信装置へ送信されるデータを中継する中継装置に適用可能である。具体的には、テレビジョン受像機、映像再生機および音声再生機などに、本開示は適用可能である。
【符号の説明】
【０１４９】
１００、１１０、１２０  送受信システム
１０１、２００  送信装置（ソース装置）
１０２、３００、５００  中継装置（リピータ装置）
１０３、４００  受信装置（シンク装置）
１１１  通信部
１１２  記憶部
１１３  受信部
１１４  再生部
１１５  表示部
１１６、２０２、３０２、４０２  制御部
２０１  信号処理部
２０３、３０１  ＨＤＭＩ通信部
３０３  シンク情報保持部
３０４、４０１  ＨＤＣＰ通信部
３０５、４０５  音声映像再生部
３０６、４０６  音声信号処理部
３０７、４０７  アンプ部
３０８、４０８  映像信号処理部
３０９、４０９  ディスプレイ部
５１０  シンク情報受信部
６００  サーバ装置
６０１  シンク情報送信部
【図１】
2014175736.tif 000003
【図２】
2014175736.tif 000004
【図３】
2014175736.tif 000005
【図４】
2014175736.tif 000006
【図５】
2014175736.tif 000007
【図６】
2014175736.tif 000008
【図７】
2014175736.tif 000009
【図８】
2014175736.tif 000010
【図９】
2014175736.tif 000011
【図１０】
2014175736.tif 000012
【図１１】
2014175736.tif 000013
【図１２】
2014175736.tif 000014
【図１３】
2014175736.tif 000015
【図１４】
2014175736.tif 000016